(57)【要約】【課題】機能性フィルムを備えたレンズを製造する際に、注入したモノマーに気泡が生じることのないガスケットを提供する。【解決手段】本発明によるガスケットは、前記ガスケットと一対のモールドが形成する空間を形成する前記ガスケットの側壁の内側面には、前記機能性フィルムの周縁部を保持するための保持部（１１１３）が部分的に形成されており、前記機能性フィルムを保持するための保持部以外の部分は、前記モノマーの流通を確保するように構成されたモノマーの流通を確保するための部分（１１１１）を備えたことを特徴とする。【選択図】図３
2008093825.tif 000002
【特許請求の範囲】
【請求項１】
機能性フィルムを備えたレンズを製造するためのガスケットであって、前記ガスケットに機能性フィルムを保持させ、前記ガスケットの両端開口部に一対のモールドをはめ込み、前記ガスケットと前記一対のモールドが形成する空間にレンズの材料となるモノマーを注入して機能性フィルムを備えたレンズを製造するものであり、前記空間を形成する前記ガスケットの側壁の内側面には、前記機能性フィルムの周縁部を保持するための保持部が部分的に形成されており、前記機能性フィルムを保持するための保持部以外の部分は、前記モノマーの流通を確保するように構成されたモノマーの流通を確保するための部分を備えたことを特徴とする、機能性フィルムを備えたレンズを製造するためのガスケット。
【請求項２】
前記機能性フィルムを保持するための保持部が、前記機能性フィルムの周縁部を保持するための溝を備えたことを特徴とする、請求項１に記載の、機能性フィルムを備えたレンズを製造するためのガスケット。
【請求項３】
前記機能性フィルムを保持するための保持部が、前記ガスケットの側壁の内側面の機能性フィルムの周縁部に対応しない部分よりも内側に突出していることを特徴とする、請求項１または２に記載の、機能性フィルムを備えたレンズを製造するためのガスケット。
【請求項４】
前記モノマーの流通を確保するための部分のガスケット内径が、前記機能性フィルムを保持するための保持部のガスケット内径よりも大きいことを特徴とする、請求項１から３のいずれかに記載の、機能性フィルムを備えたレンズを製造するためのガスケット。
【請求項５】
前記モノマーの流通を確保するための部分のガスケット内径が、機能性フィルムの周縁部に対応しない部分のガスケット内径よりも大きいことを特徴とする、請求項１から４のいずれかに記載の、機能性フィルムを備えたレンズを製造するためのガスケット。
【請求項６】
前記モノマーの流通を確保するための部分が、溝として形成されたことを特徴とする、請求項１から５のいずれかに記載の、機能性フィルムを備えたレンズを製造するためのガスケット。
【請求項７】
前記モノマーの流通を確保するための部分の、レンズの光軸を含む断面が、ストレートであることを特徴とする、請求項１から５のいずれかに記載の、機能性フィルムを備えたレンズを製造するためのガスケット。
【請求項８】
モノマーを注入するための注入口を備えたことを特徴とする、請求項１から７のいずれかに記載の、機能性フィルムを備えたレンズを製造するためのガスケット。
【請求項９】
請求項１から８のいずれかに記載のガスケットに機能性フィルムを保持させ、前記ガスケットの両端開口部に一対のモールドをはめ込み、前記ガスケットに機能性フィルムを保持させた状態で、前記ガスケットと前記一対のモールドが形成する空間にレンズの材料となるモノマーを注入して機能性フィルムを備えたレンズを製造する方法。
【発明の詳細な説明】
【技術分野】
【０００１】
本発明は、機能性フィルムを備えたレンズの製造用ガスケットおよび機能性フィルムを備えたレンズの製造方法に関するものである。
【背景技術】
【０００２】
近年、釣りなどのレジャーや自動車運転時などに装用する眼鏡に使用するレンズとして、水面や窓ガラスなどからの反射光を遮るための偏光機能と明暗を調節する調光機能の一方又は両方を備えた機能性レンズの需要が増えつつある。機能性レンズは、レンズの内部に機能性フィルムを備えたものである。
【０００３】
機能性レンズを製造する方法として、ガスケットの内側に機能性フィルムを保持させた状態で、ガスケットの両端に一対のモールドをはめ込み、ガスケットと一対のモールドが形成する空間にレンズの材料となるモノマーを注入して製造する方法が開発されている（たとえば、特許文献1）。
【０００４】
しかし、上記の従来の製造方法によれば、ガスケットの内側に機能性フィルムを挿入する際に、ガスケットの側壁内面に機能性フィルムの周縁部が接触し、機能性フィルムが歪んでしまうことがある。また、ガスケットの内側に機能性フィルムを保持させた状態で、ガスケットと一対のモールドが形成する空間にレンズの材料となるモノマーを注入する際に、モノマーの流通が機能性フィルムによって妨げられる。この結果、モノマー内に空気が混入し気泡が生じてしまうことがある。
【０００５】
【特許文献１】特開2004-1362号公報
【発明の開示】
【発明が解決しようとする課題】
【０００６】
機能性フィルムを備えたレンズを製造する際に、注入したモノマーに気泡が生じることのないガスケットに対するニーズがある。また、注入したモノマーに気泡を生じさせない、機能性フィルムを備えたレンズを製造する方法に対するニーズがある。
【課題を解決するための手段】
【０００７】
本発明による機能性フィルムを備えたレンズを製造するためのガスケットは、前記ガスケットに機能性フィルムを保持させ、前記ガスケットの両端開口部に一対のモールドをはめ込み、前記ガスケットと前記一対のモールドが形成する空間にレンズの材料となるモノマーを注入して機能性フィルムを備えたレンズを製造するものである。本発明によるガスケットは、前記空間を形成する前記ガスケットの側壁の内側面には、前記機能性フィルムの周縁部を保持するための保持部が部分的に形成されており、前記機能性フィルムを保持するための保持部以外の部分は、前記モノマーの流通を確保するように構成されたモノマーの流通を確保するための部分を備えたことを特徴とする。
【０００８】
本発明によるレンズを製造する方法は、上記の本発明によるガスケットを使用する。
【０００９】
本発明によるガスケットにおいては、モノマーの流通を確保するための部分によって、機能性フィルムの周縁部と、ガスケットの側壁の内側面との間にモノマーの流通を確保するのに十分な間隙が確保される。この結果、機能性フィルムを挿入させやすく、ガスケットの内側に機能性フィルムを保持させた状態で、ガスケットと一対のモールドが形成する空間にレンズの材料となるモノマーを注入する際に、モノマーの流通が機能性フィルムによって妨げられることはない。したがって、モノマーがスムーズに機能性フィルムの両側に行き渡り、モノマー内に空気が混入し気泡が生じてしまうことはない。
【発明の効果】
【００１０】
本発明によれば、機能性フィルムを備えたレンズを製造する際に、機能性フィルムを挿入させやすく、注入したモノマーに気泡が生じることのないガスケットが得られる。また、機能性フィルムを挿入させやすく、注入したモノマーに気泡を生じさせない、機能性フィルムを備えたレンズを製造する方法が得られる。
【発明を実施するための最良の形態】
【００１１】
図１は、本発明の第１の実施形態によるガスケット１１１の断面図である。図１の断面は、ガスケット１１１によって製造されるレンズの光軸に垂直な断面であり、図２において断面Ｃとして示したものである。ガスケット１１１の側壁の内側面には、機能性フィルム保持部１１１３が備わる。機能性フィルムがどのように保持されるかは後で説明する。本実施形態において機能性フィルム保持部１１１３の数は、４であるが、それ以外の数であってもよい。
【００１２】
図２は、本発明の第１の実施形態によるガスケット１１１の別の断面図である。図２の断面は、ガスケット１１１によって製造されるレンズの光軸を含む断面である。図２の（ａ）の断面は、図１において断面Ａとして示したものであり、機能性フィルム保持部１１１３を含まない断面である。図２の（ｂ）の断面は、図１において断面Ｂとして示したものであり、機能性フィルム保持部１１１３を含む断面である。図２に示すように、ガスケット１１１の両端の開口部には、モールド２０１および２０３がはめ込まれる。
【００１３】
図３は、図２の断面図の一部を拡大した断面図である。図３の（ａ）は、図２の（ａ）におけるガスケット１１１の側壁の内側面の断面Ａを拡大した図であり、図３の（ｂ）は、図２の（ｂ）におけるガスケット１１１の側壁の内側面の断面Ｂを拡大した図である。
【００１４】
図３の（ｂ）において、ガスケット１１１の側壁の内側面の機能性フィルム保持部１１１３には、機能性フィルム３０１の周縁部を保持するための溝１１１５が備わる。機能性フィルム３０１の周縁部は、図１に示す４個の機能性フィルム保持部１１１３の溝１１１５によって保持される。
【００１５】
図１０は、注入口１１２１を備えたガスケット１１１を示す図である。ガスケット１１１は、注入口１１２１を上部にするように配置され、注入口１１２１から、レンズの材料となるモノマーが注入される。注入口１１２１の位置は、機能性フィルム保持部１１１３および後で説明する機能性フィルム３０１の周縁部に対応しない部分１１１７、１１１９を含む任意の位置に移動できるようにしてもよい。
【００１６】
図１１は、本実施形態のガスケットにより、機能性フィルムを備えたレンズを製造する方法を示す流れ図である。
【００１７】
図１１のステップＳ０１０において、ガスケットの内部に機能性フィルムを挿入し、保持させる。
【００１８】
図１１のステップＳ０２０において、ガスケットの両端開口部に一対のモールドをはめ込む。
【００１９】
図１１のステップＳ０３０において、ガスケットと一対のモールドが形成する空間にモノマーを注入する。
【００２０】
図１１のステップＳ０４０において、ガスケットから、一対のモールドを取り外し、成形されたレンズを取り出す。
【００２１】
他の実施形態のガスケットより、機能性フィルムを備えたレンズを製造する方法も、上記の方法と同様である。
【００２２】
ガスケット１１１の内側に機能性フィルム３０１を挿入する場合には、図２の上側または下側のいずれの開口部からも挿入することができるが、下側(２０３側)の開口部から挿入するのが本ガスケットの構造上望ましい。機能性フィルム保持部１１１３は４箇所だけであり、ガスケットの内周長に占める割合も小さいので、機能性フィルム３０１が歪んでしまうことはない。
【００２３】
図３の（ａ）において、ガスケット１１１の側壁の内側面の、機能性フィルム３０１の周縁部に対応する部分には、溝１１１１が備わる。図１に示した断面におけるガスケット１１１の内径に注目すると、図３の（ａ）に示す溝１１１１に対応する部分の内径は、機能性フィルム３０１の周縁部に対応しない部分１１１７の内径よりも大きい。機能性フィルム３０１の周縁部に対応しない部分１１１７の内径は、機能性フィルム３０１の周縁部に対応しない部分１１１９の内径に等しい。機能性フィルム保持部１１１３の内径は、機能性フィルム３０１の周縁部に対応しない部分１１１９の内径よりも小さい。
【００２４】
したがって、溝１１１１によって、機能性フィルム保持部１１１３の位置を除いて、機能性フィルム３０１の周縁部と、ガスケット１１１の側壁の内側面との間に間隙が確保される。この結果、ガスケットの内側に機能性フィルムを保持させた状態で、ガスケットと一対のモールドが形成する空間にレンズの材料となるモノマーを注入する際にモノマーの流通が機能性フィルムによって妨げられことはない。したがって、モノマーがスムーズに機能性フィルムの両側に行き渡り、モノマー内に空気が混入し気泡が生じてしまうことはない。
【００２５】
また、図３の（ａ）において、溝１１１１の下側の側壁の厚さは、溝１１１１の部分の厚さよりも大きくなっているので、モールド２０３をはめ込む際に、モールド２０３を受ける掘りが深くなるので都合がよい。
【００２６】
図４は、本発明の第２の実施形態によるガスケット１２１の断面図である。図４の断面は、ガスケット１２１によって製造されるレンズの光軸に垂直な断面であり、図５において断面Ｃとして示したものである。ガスケット１２１の側壁の内側面には、機能性フィルムを保持するための機能性フィルム保持部１２１３が備わる。機能性フィルムがどのように保持されるかは後で説明する。本実施形態において機能性フィルム保持部１２１３の数は、４であるが、それ以外の数であってもよい。
【００２７】
図５は、本発明の第２の実施形態によるガスケット１２１の別の断面図である。図５の断面は、ガスケット１２１によって製造されるレンズの光軸を含む断面である。図５の（ａ）の断面は、図４において断面Ａとして示したものであり、機能性フィルム保持部１２１３を含まない断面である。図５の（ｂ）の断面は、図４において断面Ｂとして示したものであり、機能性フィルム保持部１２１３を含む断面である。図５に示すように、ガスケット１２１の両端の開口部には、モールド２０１および２０３がはめ込まれる。
【００２８】
図６は、図５の断面図の一部を拡大した断面図である。図６の（ａ）は、図５の（ａ）におけるガスケット１２１の側壁の内側面の断面Ａを拡大した図であり、図６の（ｂ）は、図５の（ｂ）におけるガスケット１２１の側壁の内側面の断面Ｂを拡大した図である。
【００２９】
図６の（ｂ）において、ガスケット１２１の側壁の内側面の機能性フィルム保持部１２１３には、機能性フィルム３０１の周縁部を保持するための溝１２１５が備わる。機能性フィルム３０１の周縁部は、図４に示す４個の機能性フィルム保持部１２１３の溝１２１５によって保持される。
【００３０】
ガスケット１２１の内側に機能性フィルム３０１を挿入する場合には、図５の上側または下側のいずれの開口部からも挿入することができるが、下側(２０３側)の開口部から挿入するのが本ガスケットの構造上望ましい。機能性フィルム保持部１２１３は４箇所だけであり、ガスケットの内周長に占める割合も小さいので、機能性フィルム３０１が歪んでしまうことはない。
【００３１】
図６の（ａ）において、図４に示した断面におけるガスケット１２１の内径に注目すると、ガスケット１２１の側壁の内側面の、機能性フィルム３０１の周縁部に対応する部分１２１１の内径は、機能性フィルム３０１の周縁部に対応しない部分１２１７の内径よりも大きい。機能性フィルム３０１の周縁部に対応しない部分１２１７の内径は、機能性フィルム３０１の周縁部に対応しない部分１２１９の内径に等しい。機能性フィルム保持部１２１３の内径は、機能性フィルム３０１の周縁部に対応しない部分１２１９の内径よりも小さい。
【００３２】
したがって、機能性フィルム３０１の周縁部に対応する部分１２１１によって、機能性フィルム保持部１２１３の位置を除いて、機能性フィルム３０１の周縁部と、ガスケット１２１の側壁の内側面との間に所定の間隙が確保される。この結果、ガスケットの内側に機能性フィルムを保持させた状態で、ガスケットと一対のモールドが形成する空間にレンズの材料となるモノマーを注入する際にモノマーの流通が機能性フィルムによって妨げられことはない。したがって、モノマーがスムーズに機能性フィルムの両側に行き渡り、モノマー内に空気が混入し気泡が生じてしまうことはない。
【００３３】
また、図６の（ａ）において、機能性フィルム３０１の周縁部に対応する部分１２１１の断面は、ストレートであるので、成形によってガスケットを製造する際に都合がよい。
【００３４】
図７は、本発明の第３の実施形態によるガスケット１３１の断面図である。図７の断面は、ガスケット１３１によって製造されるレンズの光軸に垂直な断面であり、図８において断面Ｃとして示したものである。ガスケット１３１の側壁の内側面には、機能性フィルム保持部１３１３が備わる。機能性フィルムがどのように保持されるかは後で説明する。本実施形態において機能性フィルム保持部１３１３の数は、４であるが、それ以外の数であってもよい。
【００３５】
図８は、本発明の第３の実施形態によるガスケット１３１の別の断面図である。図８の断面は、ガスケット１３１によって製造されるレンズの光軸を含む断面である。図８の（ａ）の断面は、図７において断面Ａとして示したものであり、機能性フィルム保持部１３１３を含まない断面である。図８の（ｂ）の断面は、図７において断面Ｂとして示したものであり、機能性フィルム保持部１３１３を含む断面である。図８に示すように、ガスケット１３１の両端の開口部には、モールド２０１および２０３がはめ込まれる。
【００３６】
図９は、図８の断面図の一部を拡大した断面図である。図９の（ａ）は、図８の（ａ）におけるガスケット１３１の側壁の内側面の断面Ａを拡大した図であり、図９の（ｂ）は、図８の（ｂ）におけるガスケット１３１の側壁の内側面の断面Ｂを拡大した図である。
【００３７】
図９の（ｂ）において、ガスケット１３１の側壁の内側面の機能性フィルム保持部１３１３には、機能性フィルム３０１の周縁部を保持するための溝１３１５が備わる。機能性フィルム３０１の周縁部は、図７に示す４個の機能性フィルム保持部１３１３の溝１３１５によって保持される。
【００３８】
ガスケット１３１の内側に機能性フィルム３０１を挿入する場合には、図８の下型（２０３側）の開口部から挿入することができる。機能性フィルム保持部１３１３は４箇所だけであり、ガスケットの内周長に占める割合も小さいので、機能性フィルム３０１が歪んでしまうことはない。
【００３９】
図９の（ａ）において、図７に示した断面におけるガスケット１３１の内径に注目すると、ガスケット１３１の側壁の内側面の、機能性フィルム３０１の周縁部に対応する部分１３１１の内径は、機能性フィルム３０１の周縁部に対応しない部分１３１７の内径よりも大きい。機能性フィルム３０１の周縁部に対応しない部分１３１７の内径は、機能性フィルム３０１の周縁部に対応しない部分１３１９の内径に等しい。また、機能性フィルム保持部１３１３の内径は、機能性フィルム３０１の周縁部に対応しない部分１３１９の内径に等しい。
【００４０】
したがって、機能性フィルム３０１の周縁部に対応する部分１３１１によって、機能性フィルム保持部１３１３の位置を除いて、機能性フィルム３０１の周縁部と、ガスケット１３１の側壁の内側面との間に所定の間隙が確保される。この結果、ガスケットの内側に機能性フィルムを保持させた状態で、ガスケットと一対のモールドが形成する空間にレンズの材料となるモノマーを注入する際にモノマーの流通が機能性フィルムによって妨げられことはない。したがって、モノマーがスムーズに機能性フィルムの両側に行き渡り、モノマー内に空気が混入し気泡が生じてしまうことはない。
【００４１】
また、図９の（ａ）において、機能性フィルム３０１の周縁部に対応する部分１３１１の断面は、ストレートであるので、成形によってガスケットを製造する際に都合がよい。
【００４２】
さらに、本実施形態においては、断面Ａにおいて、機能性フィルム３０１の周縁部に対応しない部分１３１７および１３１９の内径が、機能性フィルム保持部１３１３の内径と同じである。したがって、ガスケット内径よりも大きな径の機能性フィルムを使用することとなり、レンズの丸めで削り落とす部分が小さくなるため、コスト的なメリットがある。
【００４３】
本発明の実施形態によるによるガスケットは、機能性フィルムの周縁部に対応する部分が、機能性フィルム保持部の位置を除いて、機能性フィルムの周縁部と側壁との間に、モノマーの流通を確保するのに十分な所定の間隙を有するように構成されている。したがって、機能性フィルムを挿入させやすい上に、モノマーの流通が確保され、注入したモノマーに気泡が生じることはない。
【図面の簡単な説明】
【００４４】
【図１】本発明の第１の実施形態によるガスケットの断面図である。
【図２】本発明の第１の実施形態によるガスケットの別の断面図である。
【図３】図２の断面図の一部を拡大した断面図である。
【図４】本発明の第２の実施形態によるガスケットの断面図である。
【図５】本発明の第２の実施形態によるガスケットの別の断面図である。
【図６】図５の断面図の一部を拡大した断面図である。
【図７】本発明の第３の実施形態によるガスケットの断面図である。
【図８】本発明の第３の実施形態によるガスケットの別の断面図である。
【図９】図８の断面図の一部を拡大した断面図である。
【図１０】注入口を備えたガスケットを示す図である。
【図１１】機能性フィルムを備えたレンズを製造する方法を示す流れ図である。
【符号の説明】
【００４５】
１０１、１２１、１３１…ガスケット、２０１、２０３…モールド、３０１…機能性フィルム
【図１】
2008093825.tif 000003
【図２】
2008093825.tif 000004
【図３】
2008093825.tif 000005
【図４】
2008093825.tif 000006
【図５】
2008093825.tif 000007
【図６】
2008093825.tif 000008
【図７】
2008093825.tif 000009
【図８】
2008093825.tif 000010
【図９】
2008093825.tif 000011
【図１０】
2008093825.tif 000012
【図１１】
2008093825.tif 000013